(57)【特許請求の範囲】
【請求項１】
内容物を収容し、上端開口部をシール材で封止するカップ本体と、
前記シール材の上方に配設された本体板部を有し、前記カップ本体の上端部に装着される蓋体と、
を備える蓋付カップ容器であって、
前記本体板部に形成された貫通孔内には、
第１回動部を介して前記本体板部に連結され、前記第１回動部から前方に向けて延在する切刃部と、
前記切刃部の左右両側に連結されると共に各第２回動部を介して前記本体板部に各別に連結され、前記第２回動部から後方に向けて延在する操作部と、
が配設されており、
前記切刃部、前記操作部、前記第１及び前記第２回動部が、前記本体板部と一体に形成されており、
前記切刃部のうち左右両側の前記第２回動部よりも前方に位置する部分の縁部が、破断可能なブリッジ部を介して前記本体板部に連結され、
前記ブリッジ部の幅が、前記切刃部と前記本体板部との一方側から他方側に向かうにしたがって狭くなり、
前記切刃部と前記本体板部との他方には、前記操作部を引き上げて前記切刃部及び前記操作部を一体に前記第１及び第２回動部回りに回動させると、前記切刃部と前記本体板部との一方に残存する前記ブリッジ部が乗り越えて係止される係止部が配設されていることを特徴とする蓋付カップ容器。
【請求項２】
前記係止部が、前記切刃部と前記本体板部との他方から一方側に突出していることを特徴とする請求項１に記載の蓋付カップ容器。
【請求項３】
前記切刃部の下面には、当該切刃部を前記操作部から区画して当該切刃部の下面から前記操作部の下面へ伝う内容物の流動を堰き止める堰止壁部が設けられていることを特徴とする請求項１または２に記載の蓋付カップ容器。
【発明の詳細な説明】
【技術分野】
【０００１】
本発明は、蓋付カップ容器に関するものである。
【背景技術】
【０００２】
内容物を収容し、上端開口部をシール材で封止するカップ本体と、カップ本体の上端部に装着されてシール材を覆う蓋体と、を備え、蓋体に形成された貫通孔に切刃部及び操作部を配設した、蓋付カップ容器が知られている（例えば、特許文献１参照）。
【先行技術文献】
【特許文献】
【０００３】
【特許文献１】特許第３６０７００２号公報
【発明の概要】
【発明が解決しようとする課題】
【０００４】
このような蓋付カップ容器では、構造の複雑化を防ぎつつ、優れた開封操作性を具備させることに改善の余地があった。
【０００５】
本発明は、前述の課題に鑑みてなされたもので、構造の複雑化を防ぎつつ、優れた開封操作性を具備した蓋付カップ容器を提供することを目的とする。
【課題を解決するための手段】
【０００６】
本発明は、上記のような課題を解決するために以下のような手段を採用した。すなわち、本発明の蓋付カップ容器は、内容物を収容し、上端開口部をシール材で封止するカップ本体と、前記シール材の上方に配設された本体板部を有し、前記カップ本体の上端部に装着される蓋体と、を備える蓋付カップ容器であって、前記本体板部に形成された貫通孔内には、第１回動部を介して前記本体板部に連結され、前記第１回動部から前方に向けて延在する切刃部と、前記切刃部の左右両側に連結されると共に各第２回動部を介して前記本体板部に各別に連結され、前記第２回動部から後方に向けて延在する操作部と、が配設されており、前記切刃部、前記操作部、前記第１及び前記第２回動部が、前記本体板部と一体に形成されており、前記切刃部のうち左右両側の前記第２回動部よりも前方に位置する部分の縁部が、破断可能なブリッジ部を介して前記本体板部に連結され、前記ブリッジ部の幅が、前記切刃部と前記本体板部との一方側から他方側に向かうにしたがって狭くなり、前記切刃部と前記本体板部との他方には、前記操作部を引き上げて前記切刃部及び前記操作部を一体に前記第１及び第２回動部回りに回動させると、前記切刃部と前記本体板部との一方に残存する前記ブリッジ部が乗り越えて係止される係止部が配設されていることを特徴とする。
【０００７】
この発明では、操作部を引き上げると、切刃部及び操作部が一体的に第１及び第２回動部回りに回動して切刃部の前端部を下降させることにより、切刃部をシール材に押し付けてシール材を破断する。このように、操作部を引き上げる操作だけでシール材を破断して開封できるので、優れた開封操作性を具備させることが可能となる。
また、操作部が左右に一対配設されているので、開封時に、操作部に複数の指をかけることができ、切刃部からシール材に対して安定して大きな力をかけられる。ここで、開封後に蓋体に口を付けて内容物を飲むような場合には、操作部を引き上げて起立させたままであっても、鼻が一対の操作部間の空間に位置しやすくなるので、操作部が鼻に触れることを回避し、操作部によって内容物を飲むことが阻害されにくくなる。
さらに、切刃部と操作部とを一体的に第１及び第２回動部回りに回動させたときに切刃部と本体板部との一方に残存しているブリッジ部を切刃部と本体板部との他方に形成されている係止部に係止させることにより、切刃部及び操作部が第１及び第２回動部回りに逆方向に回動し、破断したシール材による開口部が閉塞されることを防止できる。ここで、切刃部と本体板部とを連結するブリッジ部を用いて切刃部及び操作部が第１及び第２回動部回りに逆方向に回動することを防止するので、逆方向の回動を防止するための部材を別途設ける必要がなくなり、蓋体の設計に対する制約を小さくすることができる。
その上、切刃部、操作部、第１回動部及び第２回動部を本体板部と一体的に形成しているので、部品点数を抑制できる。
したがって、蓋付カップ容器の構造を複雑にすることを防止しつつ蓋付カップ容器に優れた開封操作性を付与できる。
【０００８】
また、本発明の蓋付カップ容器では、前記係止部が、前記切刃部と前記本体板部との他方から一方側に突出してもよい。
この場合では、切刃部及び操作部を一体に第１及び第２回動部回りに回動させたときに、切刃部と本体板部との一方に残存しているブリッジ部を係止部のうち突出部分に係止させやすくなる。
【０００９】
また、本発明の蓋付カップ容器では、前記切刃部の下面には、当該切刃部を前記操作部から区画して当該切刃部の下面から前記操作部の下面へ伝う内容物の流動を堰き止める堰止壁部が設けられてもよい。
この場合では、開封後に例えば蓋体に口を付けて内容物を飲む際に、開封時に飛散するなどによって切刃部の下面に付着した内容物が切刃部の下面から操作部の下面まで伝うことを防止するので、飲用時の快適性を向上させることができる。すなわち、開封後には操作部が本体板部よりも使用者側に向けて突出しているが、操作部の下面への内容物の流動を防止するので、操作部の下面に伝った内容物が使用者に付着することなどを防止でき、内容物を快適に飲用できる。
【発明の効果】
【００１０】
この発明にかかる蓋付カップ容器によれば、蓋付カップ容器の構造を複雑にすることを防止しつつ蓋付カップ容器に優れた開封操作性を付与できる。
【図面の簡単な説明】
【００１１】
【図１】本発明の一実施形態にかかる蓋付カップ容器を示す軸方向断面図である。
【図２】図１の蓋付カップ容器の蓋体を示す上面図である。
【図３】図１の蓋付カップ容器の蓋体を示す下面図である。
【図４】図３の蓋体を示すＡ部拡大図である。
【図５】図４の蓋体を示す側面図である。
【図６】図１の蓋体の使用状態を示す部分拡大斜視図である。
【発明を実施するための形態】
【００１２】
以下、本発明における一実施形態にかかる蓋付カップ容器を、図面に基づいて説明する。なお、以下の説明に用いる各図面では、各部材を認識可能な大きさとするために縮尺を適宜変更している。
【００１３】
本発明にかかる蓋付カップ容器１は、図１に示すように、内容物を収容する有底円筒状のカップ本体２と、カップ本体２の上端部に装着された有頂円筒状の蓋体３と、蓋体３を覆う有頂円筒状のオーバーキャップ体４と、を備える。
カップ本体２、蓋体３及びオーバーキャップ体４は、それぞれの中心軸線が共通軸上に位置する状態で配設されている。以下、この共通軸を容器軸Ｏと称し、図１において容器軸Ｏに沿ってカップ本体２の底部から上端開口部２Ａに向かう方向を上方、その逆方向を下方とする。また、容器軸Ｏに沿って見た平面視で容器軸Ｏに直交する方向を径方向、容器軸Ｏ回りで周回する方向を周方向と称する。径方向のうちの一方向（図２における紙面下方）を前方、その逆方向を後方と称し、径方向のうち前後方向に対して直交する方向（図２における紙面左右方向）を左右方向と称する。
【００１４】
カップ本体２の上端開口部２Ａには、径方向外側に向けて突出する第１フランジ部１１が全周にわたって形成されている。この第１フランジ部１１の上面には、シール材１２が一体的に固着されており、これにより、カップ本体２の上端開口部２Ａが封止される。
シール材１２は、例えばアルミ蒸着シートなどのバリア性シート材で構成されており、下面に熱溶着層が形成されている。シール材１２は、カップ本体２内に飲料などの内容物を充填した後に第１フランジ部１１の上面に熱溶着されており、カップ本体２内の飲料が外部に漏出しないように封止している。なお、シール材１２としてバリア性シート材を使用した場合には、空気などがカップ本体２内に侵入することを防止して飲料の変質を防ぐこともできる。なお、内容物は、液体に限られない。
【００１５】
蓋体３は、図１から図３に示すように、カップ本体２の上端開口部２Ａにシール材１２を貼着した状態で、カップ本体２の上端部に被着されている。蓋体３は、シール材１２の上方に配設された平面視で円形板状の本体板部２１と、本体板部２１の外周縁から下方に向けて延在する円筒状の側壁部２２と、側壁部２２の下端から径方向外側に向けて全周にわたって突出する円環板状の第２フランジ部２３と、第２フランジ部２３の外周縁から下方に向けて延在する円筒状の装着筒部２４と、を有する。
【００１６】
本体板部２１には、図２及び図３に示すように、平面視で後方に向けて開口するＵ字状の貫通孔２５が形成されている。貫通孔２５は、前後方向に延在する左右一対の側部２５Ａと、側部２５Ａそれぞれの前端同士を連結する前部２５Ｂと、を有している。本体板部２１の貫通孔２５には、第１回動部２６を介して本体板部２１に連結された切刃部２７と、切刃部２７のうち第１回動部２６の左右両側に連結され、第１回動部２６よりも左右両側に離間した位置で一対の第２回動部２８を介して本体板部２１に各別に連結された一対の操作部２９と、が配設されている。切刃部２７は、貫通孔２５の前部２５Ｂに配設されており、操作部２９は、貫通孔２５の一対の側部２５Ａに各別に配設されている。
【００１７】
切刃部２７は、第１回動部２６から前方に向けて延在しており、本体板部２１の平面視で後方から前方に向かうにしたがって左右方向の幅が漸次小さくなる三角板状をなしている。そして、三角板状をなす切刃部２７の３つの辺部のうち後方の１つである後端部２７Ａは、第１回動部２６を介して本体板部２１の後述する半島部分３５の前端に連結されている。第１回動部２６は、上側から薄肉とすることによって形成されたヒンジであり、第１回動部２６の左右方向中央部には、左右方向に延在する回動スリット部２６Ａが形成されている。これにより、切刃部２７及び操作部２９を第１回動部２６回りに回動させた際に第１回動部２６が復元変位して切刃部２７及び操作部２９を第１回動部２６回りに逆方向に回動させることを抑制する。なお、第１回動部２６に回動スリット部２６Ａを形成しなくてもよい。
【００１８】
また、切刃部２７の３つの頂部のうち前方の１つである前端部には、開封刃３１が下方に向けて突設されている。開封刃３１は、左右方向に延在する壁部とされており、その全面が貫通孔２５の内周縁における前端に近接している。
さらに、切刃部２７には、開封刃３１よりも後方に配置され、下方に向けて尖る先行刃３２が設けられている。先行刃３２は、切刃部２７及び操作部２９を第１及び第２回動部２６、２８回りで一体に回動させたときに、開封刃３１よりも先にシール材１２に当接する。
【００１９】
また、切刃部２７のうち左右両端部は、図２から図５に示すように、破断可能なブリッジ部３３を介して貫通孔２５の内周縁に連結されている。ブリッジ部３３は、切刃部２７の左右両端部に各別に１つずつ設けられている。ブリッジ部３３の上下方向の幅は、平面視において左右方向で、切刃部２７から本体板部２１に向かうにしたがって狭くなっている。なお、ブリッジ部３３は、図２及び図３に示すように、蓋体３の平面視における左右方向で、第１及び第２回動部２６、２８間に配置されている。
さらに、切刃部２７には、図３に示すように、開封刃３１の左右両側から後方に向けて延在し、先行刃３２を左右両側から囲む一対の囲繞壁部３４が配設されている。囲繞壁部３４は、開封刃３１の左右両端に連設されており、先行刃３２は、開封刃３１によって前方から覆われると共に、一対の囲繞壁部３４によって左右両側から覆われる。囲繞壁部３４の下端縁は、下方に向けて尖っており、シール材１２を破断可能である。なお、囲繞壁部３４の下端は、開封刃３１及び先行刃３２の下端よりも上方に位置している。
【００２０】
また、切刃部２７の下面には、切刃部２７を操作部２９から区画して切刃部２７の下面に付着した内容物が切刃部２７の下面から操作部２９の下面に伝うことを防止する堰止壁部２７Ｂが設けられている。
堰止壁部２７Ｂは、切刃部２７の後端部２７Ａにおいて左右方向に延在する横方向壁部２７Ｃと、横方向壁部２７Ｃの左右両端部双方に連設され、前後方向に延在する一対の前後方向壁部２７Ｄと、を有する。
横方向壁部２７Ｃの左右両端部は、切刃部２７の左右両縁部から離間している。前後方向壁部２７Ｄは、横方向壁部２７Ｃよりも後側から切刃部２７の前縁部まで延在している。したがって、堰止壁部２７Ｂは、下面視でコ字状をなしている。
【００２１】
なお、切刃部２７の下面には、下方に向けて突出する一対の第１補強リブ部３０Ａ及び一対の第２補強リブ部３０Ｂが設けられている。第１補強リブ部３０Ａは、左右両側に設けられており、操作部２９の外周縁に沿って延在している。第１補強リブ部３０Ａの前端は、囲繞壁部３４の前後方向の中間部に接続されており、第１補強リブ部３０Ａの後端は、ブリッジ部３３よりも後方に位置している。また、前後方向壁部２７Ｄの前端は、第１補強リブ部３０Ａに連設されている。
第２補強リブ部３０Ｂは、囲繞壁部３４の後端から後方に向かうにしたがって左右方向の外側に向かうように延在する部分と、この部分の後端に連設され、前後方向に延在する部分と、を有する。第２補強リブ部３０Ｂのうち前後方向に延在する上記部分は、横方向壁部２７Ｃと交差し、操作部２９の左右方向内縁に沿って部分的に延在する。
これら第１及び第２補強リブ部３０Ａ、３０Ｂにより、一体的に形成されている切刃部２７及び操作部２９の剛性が高められる。なお、これら第１及び第２補強リブ部３０Ａ、３０Ｂを設けなくてもよい。
【００２２】
操作部２９は、図２及び図３に示すように、切刃部２７から後方だけではなく左右方向外側にも突出しており、この突出した部分における前端部は、第２回動部２８を介して本体板部２１に連結されている。これら第１及び第２回動部２６、２８は、平面視で同一直線上に配置されている。
操作部２９は、後方に向けて膨出し、後ろ半分が排除されて後方に開口した半ドーム状に形成されている。
【００２３】
本体板部２１は、貫通孔２５の前部２５Ｂ及び一対の側部２５Ａによって区画され、本体板部２１の後端部から前方に向けて延在する帯状の半島部分３５と、貫通孔２５の前部２５Ｂによって区画され、径方向内側に向けて左右一対の張出部分３６と、を有する。
本体板部２１のうち半島部分３５の下面には、円筒状の穿刺部３７が下方に向けて突設されている。この穿刺部３７は、本体板部２１の中央部（半島部分３５の前端部）に配設されており、前方から後方に向かうにしたがって漸次下方に向けて突出する先鋭形状に形成されている。また、穿刺部３７の前端部には、上下方向の全長にわたって解放スリット部３７Ａが形成されており、穿刺部３７は、前方に向けて開口している。これにより、カップ本体２の開封前に蓋付カップ容器１を加熱するなどしてカップ本体２の内圧が上昇し、シール材１２が上方に膨出変形し、穿刺部３７がシール材１２を穿刺したときに、解放スリット部３７Ａを通してカップ本体２と穿刺部３７の外部との間の流路が確保され、カップ本体２の圧力をカップ本体２の外部に逃がす。
【００２４】
本体板部２１のうち張出部分３６において第２回動部２８を介して操作部２９と向かい合う縁部３６Ａには、図４及び図５に示すように、下方に向けて突出する一対の係止板部３８が各別に１つずつ配設されている。係止板部３８は、左右方向に延在しており、左右方向の内側の端部は、張出部分３６の内周縁と切刃部２７の外周縁との間の間隙内（貫通孔２５の前部２５Ｂ）に突出している。
本体板部２１は、図１から図３に示すように、一対の張出部分３６において、前方に向かうにしたがって漸次上方に向けて傾斜しており、一対の張出部分３６間に内容物の飲口または注出口を形成する。なお、側壁部２２のうち張出部分３６に対応する部分の上端は、本体板部２１のこの傾斜に沿うように、前方に向かうにしたがって上方に向けて傾斜している。
【００２５】
第２フランジ部２３の外周縁部には、図１から図３に示すように、周方向に延在する３本のフランジスリット部２３Ａが周方向に間隔をあけて形成されている。３本のフランジスリット部２３Ａは、第２フランジ部２３の左右両側及び後側に形成されている。これにより、第２フランジ部２３の外周縁に連設されている装着筒部２４を径方向内側及び外側に向けて弾性変位させやすくなり、蓋体３をカップ本体２に装着させやすくなる。
【００２６】
装着筒部２４の内周面には、図１及び図３に示すように、カップ本体２の第１フランジ部１１の外周縁に係止する複数の係止突出部２４Ａが径方向内側に向けて周方向に間隔をあけて突設されている。複数の係止突出部２４Ａのうちの３つは、平面視で第２フランジ部２３に形成されたフランジスリット部２３Ａと周方向で重なる位置に設けられている。
【００２７】
オーバーキャップ体４は、図１に示すように、蓋体３に着脱自在に被着されている。なお、オーバーキャップ体４の天壁部は、操作部２９に当接するまたは操作部２９を押し下げており、操作部２９が第１及び第２回動部２６、２８回りに起立するように回動すること、すなわち、切刃部２７が第１及び第２回動部２６、２８回りに下方に向けて回動してシール材１２に当接することを防止する。
【００２８】
次に、以上のような構成の蓋付カップ容器１の使用方法について説明する。
オーバーキャップ体４を取り外した状態で操作部２９を引き上げて、ブリッジ部３３を破断する。このとき、ブリッジ部３３の幅が切刃部２７側から本体板部２１側に向けて漸次狭くなっており、ブリッジ部３３は、本体板部２１との接続部分において破断されやすくなっているので、破断したブリッジ部３３は、切刃部２７に残存する。
【００２９】
ブリッジ部３３を破断させた状態で操作部２９をさらに引き上げると、切刃部２７及び操作部２９が一体に第１及び第２回動部２６、２８回りに回動し、切刃部２７の前端部が下降する。これにより、開封刃３１は、シール材１２に押し付けられてシール材１２を破断する。
ここで、切刃部２７及び操作部２９を第１及び第２回動部２６、２８回りに回動させると、先行刃３２は、開封刃３１よりも先にシール材１２に当接し、シール材１２に予備的な開口を形成する。これにより、例えばカップ本体２が加圧状態にあっても、先行刃３２が形成した予備的な開口によって内圧を逃がし、内容物が外部に飛散することを防止する。また、開封刃３１及び囲繞壁部３４が先行刃３２を囲んでいるので、先行刃３２が予備的な開口を形成したときに内容物がこの開口部分から飛び出した場合であっても、飛び出た内容物が外部に飛散することが防止される。
【００３０】
切刃部２７及び操作部２９を第１及び第２回動部２６、２８回りにさらに回動させると、切刃部２７に残存したブリッジ部３３は、本体板部２１に形成された係止板部３８に当接し、図６に示すように、この係止板部３８を乗り越えて係止板部３８に対して後方から係止する。このため、操作部２９から指などを離しても、第１及び第２回動部２６、２８の復元変位によって切刃部２７及び操作部２９が第１及び第２回動部２６、２８回りに逆方向に回動することを規制する。同様に、第１回動部２６に回動スリット部２６Ａを設けることによっても、第１回動部２６の復元変位によって切刃部２７及び操作部２９が第１回動部２６回りに逆方向に回動しにくくなっている。
【００３１】
その後、例えば本体板部２１の一対の張出部分３６間に形成された飲口に口を付けて内容物を飲む。このとき、一対の操作部２９が左右方向で離間して配設されているので、起立状態にある一対の操作部２９間に鼻が位置することとなり、内容物を飲む際に蓋付カップ容器１を傾けても、操作部２９が鼻に触れにくくなる。また、例えば開封時に内容物が切刃部２７の下面に付着している場合には、蓋付カップ容器１を傾けることによって、付着した内容物が切刃部２７の下面を伝って操作部２９の下面側へ流動しようとする。しかし、切刃部２７の下面を伝う内容物の操作部２９の下面への流動は、堰止壁部２７Ｂによって阻害される。なお、飲口に口を付けて内容物を飲んでいるが、飲口を注出口として外部へ内容物を注出してもよい。
以上のようにして、蓋付カップ容器１から内容物を外部へ取り出す。
【００３２】
以上のような構成の蓋付カップ容器１によれば、操作部２９を引き上げることによって、切刃部２７及び操作部２９が一体的に第１及び第２回動部２６、２８回りに回動してシール材１２を破断できるので、カップ本体２の開封操作性を向上させることができる。
ここで、操作部２９が切刃部２７の左右両側に一対配設されているので、操作部２９に複数の指をかけることで、安定して大きな力をかけることができる。また、開封後に蓋体３に口を付けて内容物を飲む場合には、鼻を一対の操作部２９間の空間に位置させることにより、操作部２９が飲むことを邪魔しない。
さらに、ブリッジ部３３の破断後に切刃部２７に残存するブリッジ部３３を係止板部３８に係止させることにより、切刃部２７及び操作部２９が第１及び第２回動部２６、２８回りに逆方向で回動することを規制できる。また、このような切刃部２７及び操作部２９の逆方向への回動を規制するための部材を別途設ける必要がないので、蓋体３の設計に対する制約を小さくすることができる。なお、係止板部３８が本体板部２１から切刃部２７に向けて突出しているので、切刃部２７に残存しているブリッジ部３３を係止板部３８に対して係止させやすくなる。
その上、切刃部２７、操作部２９並びに第１及び第２回動部２６、２８を本体板部２１と一体に形成しているので、部品点数の増加を抑制できる。
また、切刃部２７の下面に付着している内容物が例えば飲用時に切刃部２７の下面を伝って操作部２９の下面へ流れることを堰止壁部２７Ｂによって防止するので、飲用時の快適性を向上させることができる。
【００３３】
なお、本発明は上記実施形態に限定されるものではなく、本発明の趣旨を逸脱しない範囲において種々の変更を加えることができる。
例えば、ブリッジ部は、破断後に切刃部に残存するように構成されているが、本体板部に残存するように構成されてもよい。この場合、ブリッジ部の幅は、本体板部から切刃部に向かうにしたがって狭くなっており、切刃部には、係止板部（係止部）が配設される。
ブリッジ部は、切刃部の左右両側に各別に１つずつ形成されているが、切刃部の左右両側に各別に２以上ずつ形成されてもよく、切刃部の左右両側の一方にのみ形成されてもよい。同様に、係止板部は、ブリッジ部に対応して左右両側に各別に１つずつ形成されているが、各別に２以上形成されてもよく、いずれか一方にのみ形成されてもよい。
係止板部は、本体板部から切刃部に向けて突出しているが、突出していなくてもよい。ブリッジ部を本体板部に残存するように構成した場合にも同様である。また、係止部の形状は、切刃部と板本体部との一方に残存するブリッジ部が係止できれば、板状である必要はなく、他の形状であってもよい。
第１及び第２回動部は、ヒンジであるが、他の構成であってもよい。また、第１及び第２回動部は、平面視で同一直線上に配置されているが、同一直線上に配置されていなくてもよい。さらに、第１回動部は、２以上設けられてもよく、第２回動部は、２以上設けられてもよい。
切刃部の下面には、堰止壁部を設けているが、堰止壁部を設けなくてもよい。また、堰止壁部の形状は、切刃部の下面に付着している内容物が操作部の下面へ流動することを防止できれば、切刃部の下面視でコ字状に限らず、他の形状であってもよい。
【産業上の利用可能性】
【００３４】
この発明によれば、構造の複雑化を防ぎつつ、優れた開封操作性を具備した蓋付カップ容器に関して、産業上の利用可能性が認められる。
【符号の説明】
【００３５】
１  蓋付カップ容器、２  カップ本体、２Ａ  上端開口部、３  蓋体、１２  シール材、２１  本体板部、２５  貫通孔、２６  第１回動部、２７  切刃部、２７Ｂ  堰止壁部、２８  第２回動部、２９  操作部、３３  ブリッジ部、３８  係止板部（係止部）、Ｏ  容器軸
【図１】
0006387313.tif 000002
【図２】
0006387313.tif 000003
【図３】
0006387313.tif 000004
【図４】
0006387313.tif 000005
【図５】
0006387313.tif 000006
【図６】
0006387313.tif 000007